(57)【要約】【課題】火災が起きたときの初期消火の遅れを防止すると共に、無関係の表示を容易に変更可能とし、加えて、無関係の表示のサイズやスペースを自由に決めることを可能とする。【解決手段】消火剤が貯留された管胴部２の裏面側範囲に、法規上必要とされる表示がなされた裏面側ラベルを貼付し、管胴部２の正面側範囲に、裏面側ラベルの表示とは無関係な表示がなされた正面側ラベル９を貼付し、正面側ラベル９を例えば広告用媒体等の表示とすることによって、設置者や使用者の人目を引きやすくし、消火器１の設置の認知度を高める。また、正面側ラベル９を裏面側ラベルと別にすることによって、正面側ラベル９のみを剥がしやすく作ることを可能とし、裏面側ラベルを損傷することなく別の正面側ラベルへの容易な貼り替えを可能とすると共に。裏面側ラベルからの制約をなくすことを可能とする。【選択図】図１
2019162206.tif 000002
【特許請求の範囲】
【請求項１】
消火剤が貯留された管胴部（２）の正面側範囲に貼付された正面側ラベル（９）と、
前記管胴部（２）の裏面側範囲に貼付された裏面側ラベル（１０）と、を備え、
前記裏面側ラベル（１０）には、法規上必要とされる表示がなされ、
前記正面側ラベル（９）には、前記裏面側ラベル（１０）の表示とは無関係な表示がなされていることを特徴とする消火器（１）。
【請求項２】
前記正面側ラベル（９）は、剥離性を有する粘着剤により前記管胴部（２）の前記正面側範囲に貼付されていることを特徴とする請求項１記載の消火器（１）。
【請求項３】
前記粘着剤の成分は、アクリル系、ゴム系、シリコーン系、ウレタン系の何れかを含んでいることを特徴とする請求項２記載の消火器（１）。
【請求項４】
前記正面側ラベル（９）は、１枚であることを特徴とする請求項１〜３の何れか一項に記載の消火器（１）。
【発明の詳細な説明】
【技術分野】
【０００１】
本発明は、消火器に関する。
【背景技術】
【０００２】
消火器は、国民の生命、財産を火災から保護することを目的とし、その社会的役割は非常に欠くことができないものであり、不特定多数の人が出入りし、火災の発生が想定される防火対象物に応じた種別や必要量が設置されてきた。また、緊急時にも使用者を特定せず確実に使用できるために、法令に基づいた機能や取り扱い方法等の法規上必要とされる表示がなされてきた。法規上必要とされる表示は、消火器に直接印刷する方法や銘板等にて表示されるが、銘板等が消火器の管胴部（消火剤容器）に貼付されているのが殆どである。加えて、法規上必要とされる表示には、法令で規定されている型式適合検定に合格したものである旨も付されるため、銘板等は容易に剥がれず、又、剥がれても使用できないことが求められる。以下の特許文献１には、消火器の管胴部に、法規上必要とされる表示がなされたラベルを、剥離不能に貼付することが記載されている。
【先行技術文献】
【特許文献】
【０００３】
【特許文献１】特開２００３−１４４５７０号公報
【発明の概要】
【発明が解決しようとする課題】
【０００４】
しかしながら、従来の消火器にあっては、法規上必要とされる表示がなされたラベルは、人目を引き難く、既設の消火器が、設置者や使用者に十分に認知され難いため、火災が起きたときの初期消火の遅れを招く虞がある。そこで、最近にあっては、人目を引くべく、法規上必要とされる表示と、当該表示とは無関係の表示とを一体成型したラベルが知られているが、法規上必要とされる表示のラベルは容易に剥がれず、又、剥がれても使用できないため、無関係の表示を変更したい場合、法規上必要とされる表示のラベルの損傷を招いてしまう。また、法規上必要とされる表示のラベル上に、無関係な表示の貼付スペースを設けることも考えられるが、法規上必要とされる表示のラベルが大きくなり、コストが高くなると共に、無関係の表示のサイズや貼付スペースに制限が生じてしまう。
【０００５】
本発明は、このような課題を解決するために成されたものであり、消火器の設置の認知度を高め初期消火の遅れを防止できると共に、法規上必要とされる表示のラベルを損傷することなく無関係の表示を容易に変更でき、加えて、法規上必要とされる表示からの制約がなく無関係の表示のサイズやスペースを自由に決めることができる消火器を提供することを目的とする。
【課題を解決するための手段】
【０００６】
本発明による消火器（１）は、消火剤が貯留された管胴部（２）の正面側範囲に貼付された正面側ラベル（９）と、管胴部（２）の裏面側範囲に貼付された裏面側ラベル（１０）と、を備え、裏面側ラベル（１０）には、法規上必要とされる表示がなされ、正面側ラベル（９）には、裏面側ラベル（１０）の表示とは無関係な表示がなされていることを特徴としている。
【０００７】
このような消火器（１）によれば、正面側ラベル（９）を、法規上必要とされる表示とは無関係の例えば広告用媒体等の表示にすることによって、設置者や使用者の人目を引きやすくなり、消火器（１）の設置の認知度を高めることができる。その結果、火災が起きたときの初期消火の遅れを防止できる。また、正面側ラベル（９）は裏面側ラベル（１０）とは別なため、正面側ラベル（９）のみを剥がしやすく作ることができ、裏面側ラベル（１０）を損傷することなく、別の正面側ラベルに容易に貼り替えることができる。その結果、正面側ラベル（９）の表示を、消火器（１）を買い替えることなく容易に変更できる。また、このように、正面側ラベル（９）は裏面側ラベル（１０）とは別なため、裏面側ラベル（１０）からの制約がなく、正面側ラベル（９）のサイズやスペースを自由に決めることができる。
【０００８】
ここで、正面側ラベル（９）は、剥離性を有する粘着剤により管胴部（２）の正面側範囲に貼付されていると、剥離性を有する粘着剤により、正面側ラベル（９）を容易に剥がすことができる。
【０００９】
また、粘着剤の成分は、アクリル系、ゴム系、シリコーン系、ウレタン系の何れかを含んでいると、正面側ラベル（９）が剥がしやすくなる。
【００１０】
また、正面側ラベル（９）は、１枚であると、正面側ラベル（９）の貼り替えに手間がかからない。
【発明の効果】
【００１１】
このように本発明によれば、消火器の設置の認知度を高め火災が起きたときの初期消火の遅れを防止できると共に、法規上必要とされる表示のラベルを損傷することなく無関係の表示を容易に変更でき、加えて、無関係の表示のサイズやスペースを自由に決めることができる消火器を提供できる。
【図面の簡単な説明】
【００１２】
【図１】本発明の実施形態に係る消火器を示す正面図である。
【図２】図１に示す消火器の背面図である。
【図３】図２中の裏面側ラベルを詳細に示す図である。
【図４】正面側ラベルの一例を示す消火器の正面図である。
【図５】正面側ラベルの他の例を示す消火器の正面図である。
【図６】正面側ラベルのさらに他の例を示す消火器の正面図である。
【発明を実施するための形態】
【００１３】
以下、本発明に係る消火器の好適な実施形態について、添付図面を参照しながら説明する。図１は、本発明の実施形態に係る消火器を示す正面図、図２は、消火器の背面図である。
【００１４】
図１及び図２に示すように、消火器１は、所定の消火剤が貯留された有底円筒状の管胴部（消火剤容器）２を備え、管胴部２の上部に設けられた操作レバー３を操作する、具体的には、操作レバー３を構成する下側の固定レバー４と上側の可動レバー５とを握ることにより、管胴部２内の消火剤をホース６を介して先端の放出部７へ供給し、放出部７から消火剤を放出（噴出）させて、消火を行うものである。なお、操作レバー３には、不用意な開操作を防止するための安全ピン８が設けられている。
【００１５】
また、消火器１には、図１に示すように、管胴部２の正面側範囲に正面側ラベル９が貼付され、図２に示すように、管胴部２の裏面側範囲に裏面側ラベル１０が貼付されている。ここで、正面側範囲とは、図１に示すように、操作レバー３を右、ホース６を左に向けたときの図示手前側の概ね平面視１８０°の範囲であり、裏面側範囲とは、図２に示すように、操作レバー３を左、ホース６を右に向けたときの図示手前側の概ね平面視１８０°の範囲である。
【００１６】
図３は、裏面側ラベルを詳細に示す図である。裏面側ラベル１０は、法令に基づいた機能や取り扱い方法等の法規上必要とされる表示がなされている銘板である。ここでは、一例として、符号１０ａの位置に消火器１の型式番号、１０ｂの位置に用途、１０ｃの位置に使用温度範囲、１０ｄの位置に適用する火災の絵表示、１０ｅの位置に使用方法、１０ｆの位置に放射時間、１０ｇの位置に放射距離、１０ｈの位置にその他使用上の注意事項、１０ｉの位置に法令で規定されている型式適合検定に合格した旨が表示される。この裏面側ラベル１０は、管胴部２から容易に剥がれず、また、剥がれても使用できないものとなっている。
【００１７】
図１に示す正面側ラベル９は、法規上必要とされる表示とは無関係の表示がなされたものであり、ここでは、広告用媒体が表示される。広告用媒体としては、各防火対象物の防火活動上の広告や、各種サービス業等の広告や、各種商品の広告等が挙げられる。このような広告用媒体は、雑多に細々描かれた法規上必要とされる表示よりも、人目を引きやすい。なお、広告用媒体の具体的な例は後述する。
【００１８】
正面側ラベル９は、広告用媒体を表示する表面基材と、表面基材の裏面に塗布された粘着剤と、粘着剤を保護するセパレーター（剥離材）と、を備えている。そして、セパレーターを剥がし、粘着剤によって、管胴部２の正面側範囲に正面側ラベル９が貼付されている。粘着剤としては、正面側ラベル９の張り替えを可能とすべく、剥離性を有するものが用いられている。粘着剤の成分は、アクリル系、ゴム系、シリコーン系、ウレタン系の何れかを含んでいるのが好ましく、特に、アクリル系を含んでいるのが好ましい。また、表面基材は、ラミネート加工されているものが好ましい。
【００１９】
このような本実施形態の消火器１によれば、正面側ラベル９を、法規上必要とされる表示とは無関係の例えば広告用媒体の表示にすることによって、設置者や使用者の人目を引きやすくなり、消火器１の設置の認知度を高めることができる。その結果、火災が起きたときの初期消火の遅れを防止できる。また、正面側ラベル９は裏面側ラベル１０とは別なため、正面側ラベル９のみを剥がしやすく作ることができ、裏面側ラベル１０を損傷することなく、別の正面側ラベルに容易に貼り替えることができる。その結果、正面側ラベル９の表示を、消火器１を買い替えることなく容易に変更できる。よって、広告用媒体の広告宣伝効果としては長期的なものとなり、商品価値を向上できる。また、このように、正面側ラベル９は裏面側ラベル１０とは別なため、裏面側ラベル１０からの制約がなく、正面側ラベル９のサイズやスペースを自由に決めることができる。例えば、正面側ラベル９として最小のサイズを選択することにより、低コスト化を図りつつ生産性を向上できる。
【００２０】
また、正面側ラベル９は、剥離性を有する粘着剤により管胴部２の正面側範囲に貼付されているため、剥離性を有する粘着剤により、正面側ラベル９を容易に剥がすことができる。
【００２１】
また、粘着剤の成分は、アクリル系、ゴム系、シリコーン系、ウレタン系の何れかを含んでいるため、正面側ラベル９は剥がしやすくなっている。
【００２２】
また、正面側ラベル９は、１枚のため、正面側ラベル９の貼り替えに手間がかからないという利点がある。
【００２３】
以下の図４〜図６では、種々の正面側ラベルの具体例を示し、その特有な機能を説明する。なお、図４〜図６に示す消火器にあっても、上述した正面側ラベル９による作用・効果、すなわち、消火器の設置の認知度を高め火災が起きたときの初期消火の遅れを防止できると共に、裏面側ラベル１０を損傷することなく正面側ラベルを容易に変更でき、加えて、正面側ラベルの表示のサイズやスペースを自由に決めることができる等の作用、効果を同様に奏するというのはいうまでもない。
【００２４】
図４は、正面側ラベルの一例を示す消火器の正面図である。正面側ラベル９ａは、事業拡大のためのブランディングツールとして用いられるものであり、ここでは、ロゴが表示されている。このロゴを表示することにより、ブランド向上の商材として使うことができる。なお、ブランディングツールとしては、キャッチコピー等であっても良く、この消火器１を社内や工場見学のルートに設置しておくことにより、ブランディングツールとしての機能をより発揮できる。
【００２５】
図５は、正面側ラベルの他の例を示す消火器の正面図である。消火器１は、例えば顧客への記念のプレゼントとして用いられるものであり、正面側ラベル９ｂは、ここでは、創立記念、のしが表示されている。このような表示により、アニバーサリー商品として使うことができる。また、成約記念品として使うこともできる。
【００２６】
図６は、正面側ラベルのさらに他の例を示す消火器の正面図である。正面側ラベル９ｃにあっては、ロゴ、商品情報と共に、消火器１の次回の交換時期が大きく表示されている。このため、消火器１の循環商売（買い替え）を確立でき、例えば不需要期の売り上げアップに寄与することもできる。
【００２７】
また、正面側ラベル９を、新商品情報の表示とし、宣伝広告ツールとして用いるようにしても良い。この場合、前述したように、新商品情報を表示した正面側ラベル９に容易に貼り替えることができるため、正面側ラベル９の表示を容易に変更できることになり、新商品をアピールすることが可能となる。
【００２８】
以上、本発明をその実施形態に基づき具体的に説明したが、本発明は上記実施形態に限定されるものではなく、正面側ラベル９は、法規上必要とされる表示とは無関係の表示であれば良く、例えば風景や動物等の表示であっても良い。
【符号の説明】
【００２９】
１…消火器、２…管胴部、９…正面側ラベル、１０…裏面側ラベル。
【図１】
2019162206.tif 000003
【図２】
2019162206.tif 000004
【図３】
2019162206.tif 000005
【図４】
2019162206.tif 000006
【図５】
2019162206.tif 000007
【図６】
2019162206.tif 000008